(57)【要約】  【課題】  ステレオ音源によるステレオ音声の出力中に、電話等の着信がある場合には、出力中の音声を中断することなく、着信音を出力する携帯電話機を提供する。  【解決手段】  携帯電話機１は、ＦＭステレオ放送をステレオ音声にて、Ｌ用内蔵スピーカ２５及びＲ用内蔵スピーカ２６を用いて出力中に、着信信号を受信すると、出力処理部２２は、出力する音声をステレオ音声からモノラル音声に変更し、変更したモノラル音声をＬ用内蔵スピーカ２５より出力し、着信音をＲ用内蔵スピーカ２６より出力する。また、ステレオ用イヤホン１００が接続されている場合には、変更したモノラル音声をＬ用スピーカ１０１より出力し、着信音をＲ用スピーカ１０２より出力する。【選択図】  図２
2005143051.tif 000002
【特許請求の範囲】
【請求項１】
ステレオ音源による音声を出力する携帯電話機であって、
第１及び第２スピーカと、
通信信号を受信する受信手段と、
受信した通信信号内の着信信号を検知する着信検知手段と、
ステレオ音源を取得する音源取得手段と、
取得したステレオ音源による第１音声と第２音声とをそれぞれ前記第１及び前記第２スピーカへ出力する出力手段とを備え、
前記出力手段は、前記着信検知手段にて着信信号を検知すると、前記第１音声と前記第２音声とを出力する代わりに、ステレオ音源からモノラル音声を生成し、生成したモノラル音声を第１スピーカへ出力し、着信音を第２スピーカへ出力する
ことを特徴とする携帯電話機。
【請求項２】
前記出力手段は、さらに、
オフフックが検知されると、前記着信音の代わりに、受信した通信信号内の音声信号に基く受話音声を前記第２スピーカへ出力する
ことを特徴とする請求項１に記載の携帯電話機。
【請求項３】
前記携帯電話機は、さらに、
ステレオ用イヤホンの接続を検知する接続検知手段を備え、
前記出力手段は、さらに、
前記接続検知手段にて、ステレオ用イヤホンの接続を検知した場合には、前記モノラル音声を前記第１スピーカへ出力する代わりに前記ステレオ用イヤホンが有する第３スピーカへ出力し、前記着信音及び前記受話音声を前記第２スピーカへ出力する代わりに前記ステレオ用イヤホンが有する第４スピーカへ出力する
ことを特徴とする請求項２に記載の携帯電話機。
【請求項４】
前記出力手段は、さらに、
第１及び第２音声の音量とモノラル音声の音量の差が生じるように制御する
ことを特徴とする請求項１乃至３に記載の携帯電話機。
【請求項５】
第１及び第２音声の音量とモノラル音声の音量の差は、
第１及び第２音声の音量に比べて、モノラル音声の音量が大きい
ことを特徴とする請求項４に記載の携帯電話機。   
【発明の詳細な説明】
【技術分野】
【０００１】
本発明は、携帯電話機にて出力中の音声の種別を切り替える技術に関する。
【背景技術】
【０００２】
近年、携帯電話機の多様化が進み、インターネット接続の機能、電子メール機能等、通話機能以外の機能をも備える携帯電話機が続々と登場している。特に最近では、ＦＭステレオ放送の受信機能を備えたラジオ付き携帯電話機が登場している。
このラジオ付き携帯電話機は、ＦＭステレオ放送の放送信号を受信し、受信した放送信号より音声を再生し、再生した音声を出力する。また、ラジオ付き携帯電話機は、ＦＭステレオ放送の音声を出力中に、電話等の着信があると、ＦＭステレオ放送の音声の出力を中断し、着信音を鳴動させることにより、利用者へ電話等の着信がある旨を通知している。
【特許文献１】特開平１０−２００９９０号公報
【発明の開示】
【発明が解決しようとする課題】
【０００３】
しかしながら、ＦＭステレオ放送の音声を出力中に電話等の着信があると、ラジオの音声の出力を中断し、着信音を鳴動させて着信がある旨を通知することは、利用者にとっては、必ずしも喜ばしいことではない。なぜなら、利用者がラジオ番組の聴取中に、ラジオ番組の聴取が一旦中断してしまうと、聞きたい音楽や情報を聞き逃す可能性があるからである。
【０００４】
そこで、本発明は、ステレオ音源によるステレオ音声の出力中に、電話等の着信がある場合には、出力中の音声を中断することなく、着信音を出力する携帯電話機を提供することを目的とする。
【課題を解決するための手段】
【０００５】
上記目的を達成するために、本発明は、ステレオ音源による音声を出力する携帯電話機であって、第１及び第２スピーカと、通信信号を受信する受信手段と、受信した通信信号内の着信信号を検知する着信検知手段と、ステレオ音源を取得する音源取得手段と、取得したステレオ音源による第１音声と第２音声とをそれぞれ前記第１及び前記第２スピーカへ出力する出力手段とを備え、前記出力手段は、前記着信検知手段にて着信信号を検知すると、前記第１音声と前記第２音声とを出力する代わりに、ステレオ音源からモノラル音声を生成し、生成したモノラル音声を第１スピーカへ出力し、着信音を第２スピーカへ出力することを特徴とする。
【発明の効果】
【０００６】
課題を解決するための手段に示した構成によると、携帯電話機は、着信信号を検知すると、ステレオ音源からモノラル音声を生成し、ステレオ音源による第１音声及び第２音声を出力する代わりに、生成したモノラル音声を第１スピーカへ出力し、着信音を第２スピーカへ出力することができる。これにより、携帯電話機は、着信信号を検知した場合、ステレオ音源による音声を中断することなく、着信音を出力することができる。つまり、利用者は、ステレオ音源による音声の聴取を阻害されることなく、着信を知ることができる。
【０００７】
ここで、前記出力手段は、さらに、オフフックが検知されると、前記着信音の代わりに、受信した通信信号内の音声信号に基く受話音声を前記第２スピーカへ出力するとしてもよい。
この構成によると、携帯電話機は、オフフックの検知後、モノラル音声を第１スピーカへ出力し、受話音声を第２スピーカへ出力することができる。これにより、携帯電話機は、ステレオ音源による音声を中断することなく、受話音声を出力することができる。つまり、利用者は、ステレオ音源による音声の聴取を阻害されることなく、通話を行うことができる。
【０００８】
ここで、前記携帯電話機は、さらに、ステレオ用イヤホンの接続を検知する接続検知手段を備え、前記出力手段は、さらに、前記接続検知手段にて、ステレオ用イヤホンの接続を検知した場合には、前記モノラル音声を前記第１スピーカへ出力する代わりに前記ステレオ用イヤホンが有する第３スピーカへ出力し、前記着信音及び前記受話音声を前記第２スピーカへ出力する代わりに前記ステレオ用イヤホンが有する第４スピーカへ出力するとしてもよい。
【０００９】
この構成によると、携帯電話機は、ステレオ用イヤホンの接続を検知すると、モノラル音声を第１スピーカへ出力する代わりに、ステレオ用イヤホンが有する第３スピーカへ出力し、着信音及び受話音声を第２スピーカへ出力する代わりに、ステレオ用イヤホンが有する第４スピーカへ出力することができる。
ここで、前記出力手段は、さらに、ステレオ音声の音量に比べて、出力するモノラル音声の音量が大きくなるように制御するとしてもよい。
【００１０】
この構成によると、携帯電話機は、出力するモノラル音声の音量をステレオ音声の音量に比べて大きくすることができる。そのため、従来、ステレオ音声よりもモノラル音声の方が、音量が小さく感じられるが、出力するモノラル音声の音量を大きくすることにより、音量が小さく感じられることを防ぐことができる。
【発明を実施するための最良の形態】
【００１１】
本発明に係る実施の形態としての携帯電話機１について説明する。
１．携帯電話機１の概要
携帯電話機１は、ＦＭステレオ放送信号を受信し、受信したＦＭステレオ放送信号よりステレオ音声を再生し、図１（ａ）にて示すＬ用内蔵スピーカ２５とＲ用内蔵スピーカ２６とを用いて、再生したステレオ音声を出力する。携帯電話機１は、ステレオ音声を出力中に、電話の着信を受信すると、出力中の音声をステレオ音声からモノラル音声へと変換し、変換したモノラル音声をＬ用内蔵スピーカ２５から出力し、着信音をＲ用内蔵スピーカ２６より出力する。さらに、携帯電話機１は、通話が開始されると、モノラル音声をＬ用内蔵スピーカ２５より出力し、Ｒ用内蔵スピーカ２６にて通話時の音声を出力して、ハンズフリーによる通話を行う。
【００１２】
また、携帯電話機１は、図１（ｂ）に示すように、イヤホンジャック２３を備えており、イヤホンジャック２３にステレオ用イヤホン１００のイヤホンピン１０３やモノラル用イヤホン１００Ａのイヤホンピン１０３Ａを接続することができる。
ステレオ用イヤホン１００のＬ用スピーカ１０１及びＲ用スピーカ１０２と、モノラル用イヤホン１００ＡのＬ用スピーカ１０１Ａは、携帯電話機より受け取った信号を音声として出力する。
【００１３】
携帯電話機１は、ステレオ用イヤホン１００が接続されている場合には、ステレオ用イヤホン１００のＬ用スピーカ１０１とＲ用スピーカ１０２とを用いて、受信したＦＭステレオ放送信号をステレオ音声として出力する。また、携帯電話機１は、ステレオ音声をステレオ用イヤホン１００より出力中に、電話の着信を受信すると、出力中の音声をステレオ音声からモノラル音声へと変換し、変換したモノラル音声をＬ用スピーカ１０１より出力し、Ｒ用スピーカ１０２にて電話の着信の旨を知らせる着信音を出力する。さらに、携帯電話機１は、通話が開始されると、モノラル音声をＬ用スピーカ１０１より出力し、Ｒ用スピーカ１０２にて通話時の音声を出力する。
【００１４】
携帯電話機１は、モノラル用イヤホン１００Ａが接続されている場合には、受信したＦＭステレオ放送信号をモノラル音声としてモノラル用イヤホン１００ＡのＬ用スピーカ１０１Ａより出力する。携帯電話機１は、モノラル音声にてモノラル用イヤホン１００Ａより出力中に、電話の着信を受信すると、出力する音声をＦＭステレオ放送のモノラル音声から着信音へ切り替え、着信音をＬ用スピーカ１０１Ａより出力する。さらに、携帯電話機１は、通話が開始されると、Ｌ用スピーカ１０１Ａにて通話時の音声を出力する。つまり、ＦＭステレオ放送のモノラル音声は出力されない。
【００１５】
２．携帯電話機１の構成
ここでは、携帯電話機１の構成について説明する。携帯電話機１は、図２に示すように、デュープレクサ１１、受信部１２、送信部１３、信号処理部１４、マイク１５、音声処理部１６、ラジオ受信部１７、検知部１８、表示部１９、操作部２０、制御部２１、出力処理部２２、イヤホンジャック２３、受話スピーカ２４、Ｌ用内蔵スピーカ２５、Ｒ用内蔵スピーカ２６、アンテナ３１及びアンテナ３２から構成されている。
【００１６】
携帯電話機１は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機１は、その機能を達成する。
また、携帯電話機１は、図示していないが上記の構成の他に、時計機能を有する時計部、日本語変換機能及び電話帳機能等が格納されたメモリ部や、充電可能な二次電池や電源回路部等を有して各部に対して電源を供給する電源部などをも有し、通常の携帯電話機としての動作を行うものとする。
【００１７】
図２は、携帯電話機１とステレオ用イヤホン１００との接続をも示しており、ステレオ用イヤホン１００のＬ用スピーカ１０１が、ステレオ用イヤホン１００が有する信号線３０１を介してイヤホンジャック２３と接続されており、Ｒ用スピーカ１０２が、ステレオ用イヤホン１００が有する信号線３０２を介してイヤホンジャック２３と接続されている。なお、図示していないが、携帯電話機１とモノラル用イヤホン１００Ａとを接続する場合には、モノラル用イヤホン１００ＡのＬ用スピーカ１０１Ａが、モノラル用イヤホン１００Ａが有する信号線３０１Ａを介して、イヤホンジャック２３と接続されることになる。
【００１８】
（１）デュープレクサ１１
デュープレクサ１１は、送信用のチャネルと受信用のチャネルとを備えており、外部へ送信する信号を送信部１３より受け取ると、受け取った信号を送信用チャネルを用いて、アンテナ３１を介して送信する。
また、デュープレクサ１１は、受信用チャネルを用いて、外部より受信した信号をアンテナ３１を介して受信すると、受信した信号を受信部１２へ出力する。
【００１９】
（２）受信部１２
受信部１２は、デュープレクサ１１より受け取った信号を増幅し、復調して、受信信号を生成し、生成した受信信号を信号処理部１４へ出力する。ここで、受信信号とは、例えば、電話着信時の着信信号に基く信号や通話時の音声信号（以下、「受話信号」と呼ぶ。）に基く信号である。
【００２０】
（３）送信部１３
送信部１３は、信号処理部１４より送信信号を受け取ると、受け取った送信信号を変調して、無線周波数に変換する。さらに、送信部１３は、変換した無線周波数を増幅して、外部へ送信する信号を生成し、生成した信号をデュープレクサ１１へ出力する。ここで、送信信号とは、例えば、電話発信時の発信信号に基く信号や通話時の音声信号に基く信号である。
【００２１】
（４）信号処理部１４
信号処理部１４は、マイク１５から入力される音声信号を送信部１３を介して送信するための処理や、アンテナ３１から受信部１２を介して受信した受信信号を音声処理部１６へ出力するための処理を行う。
（５）マイク１５
マイク１５は、入力された音声を音声信号として信号処理部１４へ出力する。
【００２２】
（６）音声処理部１６
音声処理部１６は、信号処理部１４より受信信号を受け取ると、受け取った受信信号が着信信号であるか、若しくは受話信号であるかの検知を行う。
音声処理部１６は、信号処理部１４より受け取った受信信号が着信信号であることを検知すると、電話の着信がある旨を示す着信通知を出力処理部２２へ通知するとともに、受け取った着信信号に対応する着信音の着信音信号を生成し、生成した着信音信号を出力処理部２２へ出力する。なお、着信信号を受け取っている間、音声処理部１６は、着信音信号の生成及び生成した着信音信号の出力処理部２２への出力を行う。
【００２３】
音声処理部１６は、信号処理部１４より受け取った受信信号が受話信号であることを検知すると、受け取った受話信号を出力処理部２２へ出力する。なお、受話信号の受け取りは、制御部２１よりオフフックを検知した旨の通知を受け取った以降に行われるため、制御部２１がオフフックを検知した後には、音声処理部１６は受け取った受信信号が受話信号であると常に検知することになる。
【００２４】
音声処理部１６は、制御部２１よりオンフックを検知した旨の通知を受け取ると、通話終了の旨を出力処理部２２へ通知する。
（７）ラジオ受信部１７
ラジオ受信部１７は、制御部２１により動作の起動及び終了が制御されている。また、ラジオ受信部１７は、ＦＭステレオ放送をステレオ音声にて出力中する際の基準となるステレオ音量のレベルを予め記憶している。以下、基準となるステレオ音量のレベルを基準レベルと呼ぶ。
【００２５】
ラジオ受信部１７は、アンテナ３２を介して、ＦＭステレオ放送信号を受信し、受信したＦＭステレオ放送信号を検波信号に変換する。ここで、検波信号とは、ステレオ音声の左音声を示すＬ信号と右音声を示すＲ信号とを足し合わせた（Ｌ＋Ｒ）信号と、Ｌ信号からＲ信号を引いた（Ｌ−Ｒ）信号と、パイロット信号とからなる信号である。
さらに、ラジオ受信部１７は、検知部１８よりステレオ音声の出力を示すステレオ情報を受け取ると、検波信号よりＬ信号とＲ信号とを生成し、生成したＬ信号を信号線２０５を介して出力処理部２２へ出力し、生成したＲ信号を信号線２０６を介して出力処理部２２へ出力する。また、ラジオ受信部１７は、検知部１８よりモノラル音声の出力を示すモノラル情報を受け取ると、検波信号を用いて、Ｌ信号とＲ信号とからなる第１モノラル信号を生成し、生成した第１モノラル信号を信号線２０５を介して出力処理部２２へ出力する。
【００２６】
（８）検知部１８
検知部１８は、利用者により電源が投入されると、ステレオ用イヤホン１００がイヤホンジャック２３に接続されているか、モノラル用イヤホン１００Ａがイヤホンジャック２３に接続されているか、若しくはイヤホンジャック２３にどちらのイヤホンも接続されていないことの何れかの検知を行い、検知状況を記憶するとともに、出力処理部２２へ検知状況を通知する。ここで、記憶している検知状況は、ステレオ用イヤホン１００が接続されていることを検知している状況、モノラル用イヤホン１００Ａが接続されていることを検知している状況及び何れのイヤホンの接続をも検知していない状況のうち何れかとなる。また、検知状況が変化する毎に、記憶する情報を検知前の状況から変化した検知状況へと更新を行い、さらに、変化した検知状況を出力処理部２２へ通知する。
【００２７】
検知部１８は、出力処理部２２より、検知状況を確認する旨を示す検知確認情報を受け取ると、その時点で記憶している検知状況を判断する。検知状況が、ステレオ用イヤホン１００が接続されていることを検知している状況、及び何れのイヤホンの接続をも検知していない状況の場合には、ステレオ情報を生成し、生成したステレオ情報をラジオ受信部１７へ出力し、検知状況が、モノラル用イヤホン１００Ａが接続されていることを検知している状況の場合には、モノラル情報を生成し、生成したモノラル情報をラジオ受信部１７へ出力する。以降、検知状況が変化する毎に、変化した検知状況に応じて、ステレオ情報及びモノラル情報のうち何れかの情報を生成し、生成した情報をラジオ受信部１７へ出力する。
【００２８】
ここで、検知部１８にて行う検知方法の一例を図３に示す回路図を用いて、以下に説明する。
イヤホンジャック２３は、通常、イヤホンの接続を検出する第１検出部４０１と、接続されたイヤホンの種別を検出する第２検出部４０２とを備えている。
図３（ａ）は、イヤホンジャック２３にステレオ用イヤホン１００が接続された場合を示す回路図である。ステレオ用イヤホン１００は、第１接地点５０１と第２接地点５０２とを備えており、ステレオ用イヤホン１００をイヤホンジャック２３に接続すると、第１検出部４０１と第１接地点５０１とが接続され、第２検出部４０２と第２接地点５０２が接続されることになる。
【００２９】
また、図３（ｂ）は、イヤホンジャック２３にモノラル用イヤホン１００Ａが接続された場合を示す回路図である。モノラル用イヤホン１００Ａは、第１接地点５０１Ａを備えており、モノラル用イヤホン１００Ａをイヤホンジャック２３に接続すると、第１検出部４０１と第１接地点５０１Ａとが接続されることになる。
検知部１８は、イヤホンジャック２３の第１検出部４０１及び第２検出部４０２における電位を検知することにより、ステレオ用イヤホン１００がイヤホンジャック２３に接続されているか、モノラル用イヤホン１００Ａがイヤホンジャック２３に接続されているか、若しくはイヤホンジャック２３にどちらのイヤホンも接続されていないことの何れかの検知を行うことができる。第１検出部４０１の電位が「０」、且つ第２検出部４０２の電位が「０」である場合には、ステレオ用イヤホン１００が接続されていると検知し、第１検出部４０１の電位が「０」、且つ第２検出部４０２の電位が「０」でない場合には、モノラル用イヤホン１００が接続されていると検知する。その他の場合には、何れのイヤホンの接続をも検知していないことになる。
【００３０】
（９）表示部１９
表示部１９は、制御部２１より受け取った情報の表示を、携帯電話機１が有する画面にて行う。
（１０）操作部２０
操作部２０は、利用者より、携帯電話機１の機能に係る操作指示を受け付け、受け付けた操作指示に対応する情報を制御部２１へ出力する。
【００３１】
操作部２０は、利用者より、ＦＭステレオ放送の聴取を開始する指示を受け付けると、ＦＭステレオ放送の聴取を開始する指示を示す開始指示情報を制御部２１へ出力する。また、ＦＭステレオ放送の聴取を終了する指示を受け付けると、ＦＭステレオ放送の聴取終了の指示を示す終了指示情報を制御部２１へ出力する。
操作部２０は、利用者がＦＭステレオ放送をステレオ音声にて聴取中に、利用者より音量のレベルの変更の指示を受け付けると、変更後の音量のレベルを示す音量変更情報を制御部２１へ出力する。
【００３２】
（１１）制御部２１
制御部２１は、操作部２０より操作指示に対応する情報を受け取ると、受け取った情報に応じた制御を行う。また、制御部２１は、オンフック及びオフフックの検知をも行い、オンフックを検知した場合にはオンフックを検知した旨を、オフフックを検知した場合にはオフフックを検知した旨を音声処理部１６へ通知する。
【００３３】
制御部２１は、操作部２０より開始指示情報を受け取ると、ラジオ受信部１７の起動を行い、ラジオ受信部１７より基準レベルを取得し、取得した基準レベルとラジオ受信の開始を示す受信開始情報とを出力処理部２２へ出力する。さらに、制御部２１は、操作部２０より終了指示情報を受け取ると、ラジオ受信部の動作を終了させ、ラジオ受信の終了を示す受信終了情報を出力処理部２２へ出力する。
【００３４】
制御部２１は、操作部２０より音量変更情報を受け取ると、受け取った音量変更情報を出力処理部２２へ出力する。
また、制御部２１は、携帯電話機１の画面へ表示する情報を生成し、生成した情報を表示部１９へ出力する。
（１２）出力処理部２２
出力処理部２２は、図４に示すように、音量記憶領域４０、書込部４１、第１受取部４２、第２受取部４３、生成部４４、音声出力部４５及び入出力部４６を有している。ここでは、ＦＭステレオ放送の音声の出力中に電話の着信があった場合の出力処理部２２の動作について、音量記憶領域４０、書込部４１、第１受取部４２、第２受取部４３、生成部４４、音声出力部４５及び入出力部４６を用いて、以下に説明する。
【００３５】
音量記憶領域４０は、ＦＭステレオ放送をステレオ音声にて出力中する際のステレオ音量のレベルを記憶する領域である。
書込部４１は、制御部２１より基準レベルと受信開始情報とを受け取ると、受け取った基準レベルを音量記憶領域４０へ書き込み、さらに、検知確認情報を生成し、生成した検知確認情報を入出力部４６を介して検知部１８へ出力する。書込部４１は、制御部２１より音量変更情報を受け取ると、音量記憶領域４０に記憶しているステレオ音量のレベルから受け取った音量変更情報にて示されるステレオ音量のレベルへ更新する。さらに、書込部４１は、制御部２１より受信終了情報を受け取ると、その時点で音量記憶領域４０にて記憶しているステレオ音量のレベルを消去する。
【００３６】
入出力部４６は、書込部４１より受け取った情報を検知部１８へ出力する。また、検知部１８からの受け取った情報を音声出力部４５へ出力する。
第１受取部４２は、検知部１８がステレオ用イヤホン１００の接続を検知している場合には、ラジオ受信部１７よりＬ信号を信号線２０５を介して受け取り、Ｒ信号を信号線２０６を介して受け取る。受け取ったＬ信号を音声出力部４５へ信号線２０７を介して出力し、受け取ったＲ信号を音声出力部４５へ信号線２０８を介して出力する。また、第１受取部４２は、検知部１８がモノラル用イヤホン１００Ａを検知している場合には、ラジオ受信部１７より第１モノラル信号を信号線２０５を介して受け取り、受け取った第１モノラル信号を音声出力部４５へ信号線２０７を介して出力する。検知部１８が何れのイヤホンの接続をも検知していない場合には、ラジオ受信部１７よりＬ信号を信号線２０５を介して受け取り、Ｒ信号を信号線２０６を介して受け取る。受け取ったＬ信号を音声出力部４５へ信号線２０７を介して出力し、受け取ったＲ信号を音声出力部４５へ信号線２０８を介して出力する。
【００３７】
第１受取部４２は、検知部１８における検知状況に応じた信号をラジオ受信部１７より受け取り、受け取った信号を音声出力部４５へ出力中に、第２受取部４３より着信通知を受け取ると、ラジオ受信部１７よりＬ信号及びＲ信号の２つの信号を受け取っているか否かを判断する。つまり、ＦＭステレオ放送をステレオ音声にて出力しているか否かを判断することになる。ラジオ受信部１７よりＬ信号及びＲ信号の２つの信号を受け取っていると判断する場合、つまりＦＭステレオ放送をステレオ音声にて出力中の場合には、第１受取部４２は、ラジオ受信部１７より受け取ったＬ信号及びＲ信号を音声出力部４５へ出力する代わりに、Ｌ信号を信号線２０９を介して生成部４４へ出力し、Ｒ信号を信号線２１０を介して生成部４４へ出力する。なお、第１受取部４２は、第２受取部４３より通話が終了した旨の通知を受け取るまでの間、ラジオ受信部１７より受け取ったＬ信号及びＲ信号を生成部４４へ出力する。第１受取部４２は、第２受取部４３より通話が終了した旨の通知を受け取ると、ラジオ受信部１７より受け取ったＬ信号及びＲ信号をそれぞれ信号線２０７及び信号線２０８を介して音声出力部４５へ出力するように変更する。
【００３８】
第１受取部４２は、ラジオ受信部１７よりＬ信号及びＲ信号の２つの信号を受け取っていないと判断する場合、つまり、第１モノラル信号を受け取り、受け取った第１モノラル信号をモノラル用イヤホン１００Ａへ出力していると判断する場合には、ラジオ受信部１７より受け取った第１モノラル信号を信号線２０７を介して音声出力部４５へ出力するのを止め、さらに、第２受取部４３より通話が終了した旨の通知を受け取ると、ラジオ受信部１７より受け取った第１モノラル信号を信号線２０７を介して音声出力部４５へ出力することを再開始する。
【００３９】
第２受取部４３は、音声処理部１６より着信通知を受け取ると、受け取った着信通知を第１受取部４２及び音声出力部４５へ出力する。第２受取部４３は、音声処理部１６より着信通知を受け取った後、音声処理部１６より着信音信号を受け取り、受け取った着信音信号を音声出力部４５へ出力する。また、第２受取部４３は、制御部２１にてオフフックが検知された後は、音声処理部１６より受話信号を受け取り、受け取った受話信号を音声出力部４５へ出力する。さらに、第２受取部４３は、音声処理部１６より通話が終了した旨の通知を受け取ると、受け取った通知を第１受取部４２及び音声出力部４５へ出力する。
【００４０】
生成部４４は、出力する音声をステレオ音声からモノラル音声へ変更するために、第１受取部４２よりＬ信号とＲ信号とを受け取ると、受け取ったＬ信号とＲ信号とからなる第２モノラル信号を生成し、生成した第２モノラル信号を音声出力部４５へ出力する。
音声出力部４５は、第１アンプ及び第２アンプを有しており、ＦＭステレオ放送の音声に係る信号や、着信音信号及び受話信号を、第１又は第２アンプを介して検知部１８による検知状況に応じた出力先へ出力する。また、音声出力部４５は、検知部１８より入出力部４６を介して検知状況の通知を受け取ると、信号の出力先を通知された検知状況に応じた出力先へ変更する。
【００４１】
音声出力部４５は、第２受取部４３より着信通知を受け取ると、信号線２０７及び信号線２０８の双方から信号を受け取っているか否かの判断、つまりステレオ音声の出力中であるか否かの判断を行う。信号線２０７及び信号線２０８の双方から信号を受け取っていると判断する場合に、音量記憶領域４０にて記憶しているステレオ音量のレベルを取得し、取得したステレオ音量のレベルに基いて、ＦＭステレオ放送をモノラル音声として出力する際の音量が大きくなるよう調節する。例えば、音量記憶領域４０にて記憶しているステレオ音量のレベルよりも３ｄＢ大きくなるようにする。なお、音量の調節は、出力する信号の出力電圧のゲインを上げたり、下げたりすることで可能となる。出力電圧のゲインを上げると、音量が大きくなり、出力電圧のゲインを下げると音量は小さくなる。さらに、音声出力部４５は、第２受取部４３より通話が終了した旨の通知を受け取ると、音量記憶領域４０にて記憶しているステレオ音量のレベルに基いてステレオ音声を出力するように音量の調節を行う。
【００４２】
また、音声出力部４５は、第１受取部４２、第２受取部４３及び生成部４４の動作から分かるように、第１受取部４２からＬ信号及びＲ信号をそれぞれ信号線２０７及び信号線２０８を介して受け取る場合と、第１受取部４２から信号線２０７のみを介して第１モノラル信号を受け取る場合と、生成部４４から第２モノラル信号、且つ第２受取部４３から着信音信号若しくは受話信号を受け取る場合と、第２受取部４３のみから着信音信号若しくは受話信号を受け取る場合とがある。これらの場合は、ＦＭステレオ放送をステレオ音声にて出力する場合、ＦＭステレオ放送をモノラル音声にて出力する場合、ＦＭステレオ放送をステレオ音声にて出力中に電話の着信があった場合、ＦＭステレオ放送をモノラル音声にて出力中に電話の着信があった場合にそれぞれ対応している。以下に、それぞれの場合にて、受け取った信号を出力する動作について説明する。
【００４３】
音声出力部４５は、第１受取部４２からＬ信号及びＲ信号をそれぞれ信号線２０７及び信号線２０８を介して受け取ると、受け取ったＬ信号及びＲ信号を、検知部１８より通知された検知状況に応じたスピーカへ、それぞれ第１及び第２アンプを介して出力する。すなわち、検知部１８にて、ステレオ用イヤホン１００の接続を検知している場合には、受け取ったＬ信号を第１アンプ、信号線２０１、イヤホンジャック２３及び信号線３０１を介してステレオ用イヤホン１００のＬ用スピーカ１０１へ出力し、受け取ったＲ信号を第２アンプ、信号線２０２、イヤホンジャック２３及び信号線３０２を介してステレオ用イヤホン１００のＲ用スピーカ１０２へ出力する。また、検知部１８にて、イヤホンの接続を検知していない場合には、受け取ったＬ信号を第１アンプ及び信号線２０３を介してＬ用内蔵スピーカ２５へ出力し、受け取ったＲ信号を第２アンプ及び信号線２０４を介してＲ用内蔵スピーカ２６へ出力する。これにより、ＦＭステレオ放送をステレオ音声にて出力することができる。なお、このとき、出力されているステレオ音声の音量は、上述したように、音量記憶領域４０にて記憶されているステレオ音量のレベルにて出力される。
【００４４】
音声出力部４５は、第１受取部４２から信号線２０７のみを介して第１モノラル信号を受け取ると、受け取った第１モノラル信号を、検知部１８より通知された検知状況に応じたスピーカへ第１アンプを介して出力する。この場合は、信号線２０１、イヤホンジャック２３及び信号線３０１Ａを介してモノラル用イヤホン１００ＡのＬ用スピーカ１０１Ａへ出力することになる。これにより、ＦＭステレオ放送をモノラル音声にて出力することができる。
【００４５】
音声出力部４５は、生成部４４から第２モノラル信号、且つ第２受取部４３から着信音信号若しくは受話信号を受け取ると、受け取った第２モノラル信号と、着信音信号若しくは受話信号とを、検知部１８より通知された検知状況に応じたスピーカへ、それぞれ第１及び第２アンプを介して出力する。すなわち、検知部１８にて、ステレオ用イヤホン１００の接続を検知している場合には、受け取った第２モノラル信号を第１アンプ、信号線２０１、イヤホンジャック２３及び信号線３０１を介してステレオ用イヤホン１００のＬ用スピーカ１０１へ出力し、受け取った着信音信号若しくは受話信号を第２アンプ、信号線２０２、イヤホンジャック２３及び信号線３０２を介してステレオ用イヤホン１００のＲ用スピーカ１０２へ出力する。また、検知部１８にて、イヤホンの接続を検知していない場合には、受け取った第２モノラル信号を第１アンプ及び信号線２０３を介してＬ用内蔵スピーカ２５へ出力し、受け取った着信音信号若しくは受話信号を第２アンプ及び信号線２０４を介してＲ用内蔵スピーカ２６へ出力する。このとき、出力されているモノラル音声の音量は、上述したように、音量記憶領域４０にて記憶されているステレオ音量のレベルに基いて調節された音量にて出力される。
【００４６】
音声出力部４５は、第２受取部４３のみから着信音信号若しくは受話信号を受け取ると、受け取った着信音信号若しくは受話信号を、検知部１８より通知された検知状況に応じたスピーカへ第１アンプを介して出力する。この場合は、モノラル用イヤホン１００Ａへ出力する。
これにより、出力処理部２２は、Ｌ信号とＲ信号とを検知状況に応じたスピーカへ出力中に電話の着信があると、Ｌ信号とＲ信号とを出力する代わりに、第２モノラル信号を生成し、ステレオ用イヤホン１００が接続されている場合には、Ｌ用スピーカ１０１へ生成した第２モノラル信号を出力し、Ｒ用スピーカ１０２へ音声処理部１６より受け取った着信音信号若しくは受話信号を出力することになる。また、イヤホンが接続されていない場合には、Ｌ用内蔵スピーカ２５へ第２モノラル信号を出力し、Ｒ用内蔵スピーカ２６へ着信音信号若しくは受話信号を出力することになる。
【００４７】
また、出力処理部２２は、第１モノラル信号をモノラル用イヤホン１００ＡのＬ用スピーカ１０１Ａへ出力中に電話の着信があると、モノラル用イヤホン１００Ａへ第１モノラル信号を出力するのを止めて、音声処理部１６より受け取った着信音信号のみをモノラル用イヤホン１００Ａへ出力する。以降、通話が開始されると、音声処理部１６より受け取った受話信号のみをモノラル用イヤホン１００Ａへ出力する。なお、通話が終了すると、第１モノラル信号を信号線２０１、イヤホンジャック２３及び信号線３０１を介して、モノラル用イヤホン１００Ａへ出力する。
【００４８】
なお、上記では、ＦＭステレオ放送の音声の出力中に電話の着信があった場合の出力処理部２２の動作について説明したが、ラジオ受信部１７より信号を受け取っていない場合、つまり、ラジオ受信部１７の起動がなされていない場合に、電話の着信があると出力処理部２２は、従来の携帯電話機と同様の着信処理及び通話処理を行う。つまり、ステレオ用イヤホン１００が接続されている場合には、音声処理部１６より受け取った着信音信号若しくは受話信号を、第１及び第２アンプを介してステレオ用イヤホン１００へ出力する。モノラル用イヤホン１００Ａが接続されている場合には、音声処理部１６より受け取った着信音信号若しくは受話信号を、第１アンプを介してモノラル用イヤホン１００Ａへ出力する。また、何れのイヤホンも接続されていない場合には、着信音信号をＬ用内蔵スピーカ２５及びＲ用内蔵スピーカ２６へ、それぞれ第１及び第２アンプを介して出力し、通話開始後には、受話信号を受話スピーカ２４へ出力する。
【００４９】
（１３）イヤホンジャック２３
イヤホンジャック２３は、出力処理部２２より信号を受け取り、受け取った信号を接続されたステレオ用イヤホン１００若しくは接続されたモノラル用イヤホン１００Ａへ出力する。
（１４）受話スピーカ２４
受話スピーカ２４は、出力処理部２２より受け取った受話信号を音声として出力する。
【００５０】
（１５）Ｌ用内蔵スピーカ２５、Ｒ用内蔵スピーカ２６
Ｌ用内蔵スピーカ２５及びＲ用内蔵スピーカ２６は、出力処理部２２より受け取った信号を音声として出力する。
３．音声出力処理の動作
ここでは、利用者からＦＭステレオ放送の聴取を開始する指示を受け付けてから聴取終了の指示を受け付けるまでに行われる音声出力処理の動作について、図５及び図６に示す流れ図を用いて説明する。
【００５１】
出力処理部２２は、制御部２１より基準レベルと受信開始情報とを受け取ると（ステップＳ５）、受け取った基準レベルを音量記憶領域４０へ書き込む（ステップＳ１０）。
出力処理部２２は、検知部１８における検知状況に応じた信号をラジオ受信部１７より受け取り、受け取った信号を検知部１８における検知状況に応じた出力先へ出力する（ステップＳ１５）。つまり、ステレオ用イヤホン１００が接続されている場合には、Ｌ信号及びＲ信号とをラジオ受信部１７より受け取り、受け取ったＬ信号をＬ用スピーカ１０１へ出力、及び受け取ったＲ信号をＲ用スピーカ１０２へ出力することにより、ステレオ用イヤホン１００にてステレオ音声を出力する。モノラル用イヤホン１００Ａが接続されている場合には、ラジオ受信部１７より第１モノラル信号を受け取り、受け取った第１モノラル信号をＬ用スピーカ１０１Ａへ出力することにより、モノラル用イヤホン１００Ａにてモノラル音声を出力する。何れのイヤホンも接続されていない場合には、Ｌ信号及びＲ信号とをラジオ受信部１７より受け取り、受け取ったＬ信号をＬ用内蔵スピーカ２５へ出力、及び受け取ったＲ信号をＲ用内蔵スピーカ２６へ出力することにより、ステレオ音声を出力する。
【００５２】
次に、出力処理部２２は、制御部２１より音量変更情報を受け取ったか否かを判断し（ステップＳ２０）、受け取ったと判断する場合には（ステップＳ２０における「ＹＥＳ」）、音量記憶領域４０にて記憶しているステレオ音量のレベルから受け取ったステレオ音量のレベルへと更新し（ステップＳ２５）、ステップＳ１５へ戻る。
音量変更情報を受け取っていないと判断する場合には（ステップＳ２０における「ＮＯ」）、制御部２１より、受信終了情報を受け取ったか否かを判断し（ステップＳ３０）、受信終了情報を受け取ったと判断する場合には（ステップＳ３０における「ＹＥＳ」）、音量記憶領域４０にて記憶しているステレオ音量のレベルを消去して、処理を終了する。
【００５３】
受信終了情報を受け取っていないと判断する場合には（ステップＳ３０における「ＮＯ」）、音声処理部１６より着信通知を受け取ったか否かを判断し（ステップＳ３５）、着信通知を受け取っていないと判断する場合には（ステップＳ３５における「ＮＯ」）、ステップＳ１５へ戻る。
着信通知を受け取ったと判断する場合には（ステップＳ３５における「ＹＥＳ」）、ステレオ音声を出力中であるか否かを判断し（ステップＳ４０）、ステレオ音声を出力していないと判断する場合（ステップＳ４０における「ＮＯ」）、つまり、第１モノラル信号をラジオ受信部１７より受け取り、受け取った第１モノラル信号をモノラル用イヤホン１００Ａへ出力している場合には、第１モノラル信号の出力を止め、モノラル用イヤホン１００Ａへ音声処理部１６より受け取った着信音信号のみを出力する（ステップＳ４５）。つまり、モノラル用イヤホン１００Ａから着信音のみが出力される。出力処理部２２は、制御部２１によるオフフックの検知後は、音声処理部１６より受け取った受話信号をモノラル用イヤホン１００Ａへ出力する（ステップＳ５０）。つまり、モノラル用イヤホン１００Ａから通話時の音声が出力される。出力処理部２２は、通話が終了したか否かを判断し（ステップＳ５５）、通話が終了していないと判断する場合には（ステップＳ５５における「ＮＯ」）、ステップＳ５０へ戻る。通話が終了したと判断する場合には（ステップＳ５５における「ＹＥＳ」）、ステップＳ１５へ戻る。以降、着信前と同様に、検知状況に応じて、ステレオ音声若しくはモノラル音声を出力することになる。
【００５４】
ステレオ音声を出力していると判断する場合（ステップＳ４０における「ＹＥＳ」）、つまり、Ｌ信号とＲ信号とをラジオ受信部１７より受け取っている場合には、音量記憶領域４０にて記憶しているステレオ音量のレベルを取得し（ステップＳ６０）、取得したステレオ音量のレベルに基いて、出力するモノラル音声の音量を調節する（ステップＳ６５）。
【００５５】
次に、出力処理部２２は、出力する音声をステレオ音声からモノラル音声へ変更するために、ラジオ受信部１７より受け取ったＬ信号及びＲ信号とを用いて、第２モノラル信号を生成する（ステップＳ７０）。
次に、検知部１８における検知状況に応じた出力先より、生成した第２モノラル信号を調節された音量に基いて出力する（ステップＳ７５）。つまり、ステレオ用イヤホン１００の接続を検知している状況である場合には、第２モノラル信号をＬ用スピーカ１０１へ出力する。このとき、音声処理部１６より着信音信号を受け取っている場合には、受け取った着信音信号をＲ用スピーカ１０２へ出力し、制御部２１によるオフフックの検知後は、音声処理部１６より受け取った受話信号をＲ用スピーカ１０２へ出力する。また、イヤホンの検知がされていない状況である場合には、第２モノラル音声をＬ用内蔵スピーカ２５へ出力する。このとき、音声処理部１６より着信音信号を受け取っている場合には、受け取った着信音信号をＲ用内蔵スピーカ２６へ出力し、制御部２１によるオフフックの検知後は、音声処理部１６より受け取った受話信号をＲ用内蔵スピーカ２６へ出力する。
【００５６】
出力処理部２２は、通話が終了したか否かを判断し（ステップＳ８０）、通話が終了していないと判断する場合には（ステップＳ８０における「ＮＯ」）、ステップＳ７０へ戻る。通話が終了したと判断する場合には（ステップＳ８０における「ＹＥＳ」）、出力する音声をモノラル音声からステレオ音声へと変更するために、検知状況に応じて、ラジオ受信部１７より受け取ったＬ信号及びＲ信号とを音量記憶領域４０にて記憶しているステレオ音量のレベルに基いて出力し（ステップＳ８５）、ステップＳ１５へ戻る。以降、着信前と同様に検知状況に応じて、ステレオ音声若しくはモノラル音声を出力することになる。
【００５７】
４．まとめ
以上説明したように、携帯電話機１は、ＦＭステレオ放送をステレオ音にて出力中に、電話の着信があると、ＦＭステレオ放送の音声の出力を中断することなく、電話の着信がある旨を知らせることができる。さらに、携帯電話機１は、オフフックを検知した後も、ＦＭステレオ放送の音声の出力を中断することなく、受話音声を出力するため、利用者は、ＦＭステレオ放送を聞きながら通話を行うことができる。
【００５８】
また、携帯電話機１は、出力する音声をステレオ音声からモノラル音声へ切り替える際に、モノラル音量のレベルをステレオ音量のレベルよりも大きくなるように調節している。通常、ステレオ音声よりもモノラル音声の方が、音量が小さく感じられる。そのため、出力する音声をステレオ音声からモノラル音声へ切り替える際に、出力する音量のレベルを調節することにより、音量が小さく感じられることを防ぐことができる。
【００５９】
また、携帯電話機１は、出力する音声をモノラル音声からステレオ音声へ切り替える際に、記憶しているステレオ音量のレベルへ変更している。つまり、ステレオ音声からモノラル音声へ切り替わる前のステレオ音量のレベルに戻している。通常、モノラル音声からステレオ音声へ切り替わる際には、音量が大きく感じられる。そのため、ステレオ音声からモノラル音声へ切り替わる前のステレオ音量のレベルに戻すことにより、音量が大きく感じられることを防ぐことができる。
【００６０】
なお、本発明を上記の実施の形態に基いて説明してきたが、本発明は、上記の実施の形態に限定されないのはもちろんである。以下の場合も本発明に含まれる。
（変形例）
（１）上記実施の形態では、携帯電話機は、ＦＭステレオ放送をステレオ音声にて出力中に、電話の着信があった場合に、ステレオ音声からモノラル音声へと切り替えを行ったが、これに限定されない。ＦＭステレオ放送以外のステレオ音源によるステレオ音声をモノラル音声へと切り替えてもよい。
【００６１】
例えば、携帯電話機は、記憶している音楽をステレオ音声にて出力中に、電話の着信が有る場合に、出力している音楽をステレオ音声からモノラル音声へと切り替え、切り替えられたモノラル音声と着信音信号とを検知部１８の検知状況に応じた出力先へ出力する。
（２）上記実施の形態では、ＦＭステレオ放送をステレオ音声にて出力中に、電話の着信があると、出力処理部２２にて第２モノラル信号を生成し、出力する音声をステレオ音声からモノラル音声へと切り替えたが、これに限定されない。出力する音声をステレオ音声からモノラル音声へと切り替える方法は、他の方法でもよい。
【００６２】
例えば、ＦＭステレオ放送をステレオ音声にてステレオ用イヤホンへ出力中に、電話の着信があると、ラジオ受信部１７にて出力する信号をＬ信号及びＲ信号の２つの信号の代わりに、第１モノラル信号を出力するように制御してもよい。このとき、音声出力部４５は、第１受取部４２から第１モノラル信号を、第２受取部４３から着信音信号若しくは受話信号を受け取り、受け取った各信号を検知部１８の検知状況に応じた出力先へ出力することになる。
【００６３】
（３）上記実施の形態では、ＦＭステレオ放送をステレオ音声にて出力中に、電話の着信があった場合に、出力する音声をステレオ音声からモノラル音声へと切り替えたが、これに限定されない。他の着信時にも、出力する音声をステレオ音声からモノラル音声へと切り替えてもよい。
他の着信とは、例えば、テレビ電話の着信、電子メールの着信、映像付電子メール着信、音声付電子メールの着信や映像音声付電子メール等である。
【００６４】
ここで、テレビ電話の着信の場合、通話開始後には、携帯電話機は、上記実施の形態と同様の動作を行う。電子メールに係る着信の場合には、携帯電話機は、着信音を発生させる間のみ、出力する音声をステレオ音声からモノラル音声へと切り替える。
（４）上記実施の形態では、携帯電話機１は、イヤホンが接続されていない場合に、第２モノラル信号をＬ用内蔵スピーカ２５へ出力し、着信音信号及び受話信号をＲ用内蔵スピーカ２６へ出力したが、これに限定されない。第２モノラル信号をＲ用内蔵スピーカ２６へ出力し、着信音信号及び受話信号をＬ用内蔵スピーカ２５へ出力してもよい。
【００６５】
（５）上記実施の形態では、携帯電話機１は、ステレオ用イヤホン１００が接続されている場合に、第２モノラル信号をＬ用スピーカ１０１へ出力し、着信音信号及び受話信号をＲ用スピーカ１０２へ出力したが、これに限定されない。第２モノラル信号をＲ用スピーカ１０２へ出力し、着信音信号及び受話信号をＬ用スピーカ１０１へ出力してもよい。
（６）本発明は、通信方式については限定しない。例えば、ＰＨＳ（Ｐｅｒｓｏｎａｌ  Ｈａｎｄｙ  ｐｈｏｎｅ  Ｓｙｓｔｅｍ）、ＣＤＭＡ（Ｃｏｄｅ  Ｄｅｖｉｄｉｓｉｏｎ  Ｍｕｌｔｉ  Ａｃｃｅｓｓ）、ＰＤＣ（Ｐｅｒｓｏｎａｌ  Ｄｉｇｉｔａｌ  Ｃｅｌｌｕｌａｒ）の何れの方式を用いる携帯電話機に適用してもよい。
【００６６】
（７）受話スピーカ２４をＬ用内蔵スピーカ２５及びＲ用内蔵スピーカ２６のうち何れかと兼用してもよい。
受話スピーカ２４をＬ用内蔵スピーカ２５と兼用する場合には、出力処理部２２は、第２モノラル信号をＲ用内蔵スピーカ２６へ出力し、着信音信号及び受話信号をＬ用内蔵スピーカ２５へ出力する。
【００６７】
（８）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００６８】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００６９】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（９）上記実施の形態及び上記変形例をそれぞれ組み合わせるとしてもよい。
【産業上の利用可能性】
【００７０】
上記にて示した技術は、携帯電話機を製造及び販売する産業において、経営的、つまり反復的かつ継続的に利用されうる。
【図面の簡単な説明】
【００７１】
【図１】携帯電話機１の使用形態を示す図である。
【図２】携帯電話機１の構成を示すブロック図である。
【図３】イヤホン接続の検知方法を示す回路図である。
【図４】出力処理部２２の構成を示すブロック図である。
【図５】音声出力処理の動作を示す流れ図である。図６へ続く。
【図６】音声出力処理の動作を示す流れ図である。図５から続く。
【符号の説明】
【００７２】
１    携帯電話機
１１    デュープレクサ
１２    受信部
１３    送信部
１４    信号処理部
１５    マイク
１６    音声処理部
１７    ラジオ受信部
１８    検知部
１９    表示部
２０    操作部
２１    制御部
２２    出力処理部
２３    イヤホンジャック
２４    受話スピーカ
２５    Ｌ用内蔵スピーカ
２６    Ｒ用内蔵スピーカ
４０    音量記憶領域
４１    書込部
４２    第１受取部
４３    第２受取部
４４    生成部
４５    音声出力部
４６    入出力部
【図１】
2005143051.tif 000003
【図２】
2005143051.tif 000004
【図３】
2005143051.tif 000005
【図４】
2005143051.tif 000006
【図５】
2005143051.tif 000007
【図６】
2005143051.tif 000008